(57)【要約】【課題】比較的簡単な構成で、かつ、より多くの人に緊急的に配信される警報を報知可能な構成が要望されている。【解決手段】警報報知コントローラは、警報情報を受信するための通信部と、所定の通信方式に従ってテレビジョン装置との間で、映像信号および制御信号を遣り取りするためのインターフェイスと、通信部により何らかの警報情報を受信すると、当該受信された警報情報に対応する画像を生成するとともに、インターフェイスを介してテレビジョン装置へ出力する制御部とを含む。制御部は、テレビジョン装置の表示が無効化されている場合に、インターフェイスを介してテレビジョン装置へ制御信号を与えることで、テレビジョン装置の表示を有効化する手段を含む。【選択図】図４
2018022314.tif 000002
【特許請求の範囲】
【請求項１】
警報情報を受信するための通信部と、
所定の通信方式に従ってテレビジョン装置との間で、映像信号および制御信号を遣り取りするためのインターフェイスと、
前記通信部により何らかの警報情報を受信すると、当該受信された警報情報に対応する画像を生成するとともに、前記インターフェイスを介して前記テレビジョン装置へ出力する制御部とを備え、
前記制御部は、前記テレビジョン装置の表示が無効化されている場合に、前記インターフェイスを介して前記テレビジョン装置へ制御信号を与えることで、前記テレビジョン装置の表示を有効化する手段を含む、警報報知コントローラ。
【請求項２】
前記制御部は、前記テレビジョン装置に表示される入力ソースとして前記警報報知コントローラから出力される映像信号が選択されていない場合に、前記インターフェイスを介して前記テレビジョン装置へ制御信号を与えることで、前記テレビジョン装置に表示される入力ソースを切り替える手段を含む、請求項１に記載の警報報知コントローラ。
【請求項３】
前記制御部は、前記受信された警報情報に基づいて、予め格納されている複数の画像データのうち対応する画像データを選択することで、前記受信された警報情報に対応する画像を生成する手段を含む、請求項１または２に記載の警報報知コントローラ。
【請求項４】
前記制御部は、前記受信された警報情報に基づいて、前記受信された警報情報に対応する音声を生成し、前記テレビジョン装置から当該生成された音声が出力されるように、前記インターフェイスを介して前記テレビジョン装置へ出力する手段を含む、請求項１〜３のいずれか１項に記載の警報報知コントローラ。
【請求項５】
テレビジョン装置と、
所定の通信方式に従って前記テレビジョン装置との間で、映像信号および制御信号を遣り取りするためのインターフェイスを含むコントローラとを備え、
前記コントローラは、
警報情報を受信するための通信部と、
前記通信部により何らかの警報情報を受信すると、当該受信された警報情報に対応する画像を生成するとともに、前記インターフェイスを介して前記テレビジョン装置へ出力する制御部とを含み、
前記制御部は、前記テレビジョン装置の表示が無効化されている場合に、前記インターフェイスを介して前記テレビジョン装置へ制御信号を与えることで、前記テレビジョン装置の表示を有効化する手段を含む、警報報知システム。
【発明の詳細な説明】
【技術分野】
【０００１】
本技術は、災害などに係る各種警報を報知するための警報報知コントローラおよび当該警報報知コントローラを含む警報報知システムに関する。
【背景技術】
【０００２】
近年の情報通信技術（Information and Communication Technology：ＩＣＴ）の進歩は目覚ましく、いつでもどこでも簡単に情報が得られるというユビキタス社会が実現されつつある。
【０００３】
このような情報通信技術を用いて、大規模な自然災害や武力攻撃事態といった緊急を要する情報を瞬時に配信するシステムが運用されている。このような緊急を要する情報を、どのように対象の人に伝えるのかという点が重要になってくる。
【０００４】
例えば、特開２０１５−１２２０５９号公報（特許文献１）は、ネットワークトラフィックを低減しながら、移動式無線機に緊急地震速報、津波警報、および気象警報などの災害緊急速報を報知させることができる緊急速報配信システムなどを開示する。
【先行技術文献】
【特許文献】
【０００５】
【特許文献１】特開２０１５−１２２０５９号公報
【発明の概要】
【発明が解決しようとする課題】
【０００６】
上述の特許文献１に開示される技術は、移動式無線機を保有する人に対して、少ないネットワークトラフィックを実現しつつ、災害緊急速報を報知するものである。しかしながら、特許文献１に開示される技術は、主として、移動式無線機を携帯している人に対する報知が主目的であり、移動式無線機を保有していない人（例えば、幼児や子供）、あるいは、就寝中などで移動式無線機を携帯していない人に対しては、災害緊急速報を報知することはできない。
【０００７】
そのため、比較的簡単な構成で、かつ、より多くの人に緊急的に配信される警報を報知可能な構成が要望されている。
【課題を解決するための手段】
【０００８】
本技術のある局面に従う警報報知コントローラは、警報情報を受信するための通信部と、所定の通信方式に従ってテレビジョン装置との間で、映像信号および制御信号を遣り取りするためのインターフェイスと、通信部により何らかの警報情報を受信すると、当該受信された警報情報に対応する画像を生成するとともに、インターフェイスを介してテレビジョン装置へ出力する制御部とを含む。制御部は、テレビジョン装置の表示が無効化されている場合に、インターフェイスを介してテレビジョン装置へ制御信号を与えることで、テレビジョン装置の表示を有効化する手段を含む。
【０００９】
好ましくは、制御部は、テレビジョン装置に表示される入力ソースとして警報報知コントローラから出力される映像信号が選択されていない場合に、インターフェイスを介してテレビジョン装置へ制御信号を与えることで、テレビジョン装置に表示される入力ソースを切り替える手段を含む。
【００１０】
好ましくは、制御部は、受信された警報情報に基づいて、予め格納されている複数の画像データのうち対応する画像データを選択することで、受信された警報情報に対応する画像を生成する手段を含む。
【００１１】
好ましくは、制御部は、受信された警報情報に基づいて、受信された警報情報に対応する音声を生成し、テレビジョン装置から当該生成された音声が出力されるように、インターフェイスを介してテレビジョン装置へ出力する手段を含む。
【００１２】
本技術の別の局面に従う警報報知システムは、テレビジョン装置と、所定の通信方式に従ってテレビジョン装置との間で、映像信号および制御信号を遣り取りするためのインターフェイスを含むコントローラとを含む。コントローラは、警報情報を受信するための通信部と、通信部により何らかの警報情報を受信すると、当該受信された警報情報に対応する画像を生成するとともに、インターフェイスを介してテレビジョン装置へ出力する制御部とを含む。制御部は、テレビジョン装置の表示が無効化されている場合に、インターフェイスを介してテレビジョン装置へ制御信号を与えることで、テレビジョン装置の表示を有効化する手段を含む。
【発明の効果】
【００１３】
本技術の形態によれば、比較的簡単な構成を維持しつつ、より多くの人に緊急的に配信される警報を報知することができる。
【図面の簡単な説明】
【００１４】
【図１】本実施の形態に従う警報報知システムによる報知動作の一例を説明するための模式図である。
【図２】本実施の形態に従う警報報知システムによる報知動作の一例を説明するための模式図である。
【図３】本実施の形態に従う警報報知コントローラのハードウェア構成の一例を示す模式図である。
【図４】本実施の形態に従う警報報知コントローラの遣り取りの一例を説明するためのシーケンス図である。
【図５】本実施の形態に従う警報報知コントローラによる警報画面および警報音声の生成処理の一例を説明するための模式図である。
【図６】本実施の形態に従う警報報知コントローラによる警報報知に係る処理手順を示すフローチャートである。
【発明を実施するための形態】
【００１５】
本発明の実施の形態について、図面を参照しながら詳細に説明する。なお、図中の同一または相当部分については、同一符号を付してその説明は繰返さない。
【００１６】
＜Ａ．報知動作の概要＞
まず、本実施の形態に従う警報報知コントローラおよびそれを含む警報報知システムによる報知動作の一例について説明する。
【００１７】
図１および図２は、本実施の形態に従う警報報知システムＳＹＳによる報知動作の一例を説明するための模式図である。図１および図２を参照して、本実施の形態に従う警報報知システムＳＹＳは、典型的には、テレビジョン装置２００と、テレビジョン装置２００に接続される警報報知コントローラ１とから構成される。
【００１８】
警報報知コントローラ１は、所定の通信方式に従ってテレビジョン装置２００との間で、映像信号および制御信号を遣り取りするためのインターフェイスを含む。警報報知コントローラ１は、テレビジョン装置２００に接続される構成であれば、セットトップボックス（ＳＴＢ：Set Top Box）として実装されてもよいし、ハードディスクレコーダ／Ｂｌｕ−ｒａｙ（登録商標）レコーダに組み込まれる機能として実装してもよいし、パーソナルコンピュータが提供する機能の一部として実装してもよいし、スティック型の筐体として実装してもよい。警報報知コントローラ１の詳細については後述する。
【００１９】
警報報知コントローラ１は、任意の警報情報を受信すること可能になっている。警報情報の受信方法としては、無線方式であってもよいし、有線方式であってもよい。
【００２０】
図１（Ａ）に示すように、例えば、テレビジョン装置２００が電源オフの状態（典型的には、外部電源は供給されているが、内部的なスイッチにより表示が無効化されている状態）、スタンバイ状態、またはスリープ状態である場合に、警報報知コントローラ１が、何らかの警報情報を受信したとする。すると、図１（Ｂ）に示すように、警報報知コントローラ１が制御信号を与えることで、テレビジョン装置２００を電源オンにするとともに、警報報知コントローラ１から映像信号を与えることで、テレビジョン装置２００に受信した警報情報に対応する警報画面２０２を表示する。この警報画面２０２の表示とともに、警報報知コントローラ１から音声信号を与えることで、テレビジョン装置２００から警報音声２０４を出力するようにしてもよい。
【００２１】
このように、本実施の形態に従う警報報知コントローラ１は、テレビジョン装置２００が電源オフの状態であっても、緊急を要する警報情報をその周囲にいる人に報知することができる。
【００２２】
図２（Ａ）に示すように、テレビジョン装置２００が電源オンの状態であって、何らかの番組が表示されている場合においても、警報報知コントローラ１が制御信号を与えることで、テレビジョン装置２００に表示される画像の入力ソースを切り替え、図２（Ｂ）に示すような、警報報知コントローラ１からの映像信号に応じた警報画面２０２を表示することもできる。このとき、テレビジョン装置２００は、警報画面２０２を表示するとともに、警報音声２０４を出力するようにしてもよい。
【００２３】
このように、本実施の形態に従う警報報知コントローラ１は、テレビジョン装置２００で何らかの番組を視聴している場合であっても緊急を要する警報情報をその周囲にいる人に報知することができる。
【００２４】
＜Ｂ．ハードウェア構成＞
次に、本実施の形態に従う警報報知コントローラ１のハードウェア構成の一例について説明する。
【００２５】
図３は、本実施の形態に従う警報報知コントローラ１のハードウェア構成の一例を示す模式図である。図３を参照して、警報報知コントローラ１は、制御回路１５０と、制御回路１５０に電源を供給する電源モジュール１３０とを含む。
【００２６】
制御回路１５０は、後述するような各種制御を実現するための処理部に相当する。処理部については、プロセッサがプログラムを実行するように実装（ソフトウェア実装）されてもよいし、ＡＳＩＣ（Application Specific Integrated Circuit）などを用いて実装（ハードウェア実装）されてもよいし、ソフトウェア実装とハードウェア実装とを適宜組み合わせてもよい。図３には、典型例として、ソフトウェア実装の例を示す。
【００２７】
具体的には、制御回路１５０は、プロセッサ１００と、通信モジュール１０４と、ＨＤＭＩ（登録商標）（High-Definition Multimedia Interface）コントローラ１０６と、ＨＤＭＩコネクタ１１０と、記憶部１２０とを含む。
【００２８】
プロセッサ１００は、ＣＰＵ（Central Processing Unit）やＧＰＵ（Graphics Processing Unit）などを用いて実装される演算主体である。プロセッサ１００は、処理プログラム１０２を内部メモリまたは外部メモリなどに展開して実行する。すなわち、本実施の形態に従う警報報知コントローラ１が提供する各種機能および処理については、処理プログラム１０２によって実現されてもよい。
【００２９】
通信モジュール１０４は、警報情報を受信するための通信部に相当する。警報情報としては、全国的または地域的に緊急配信される信号であれば、どのようなものを受信するようにしてよい。また、警報情報の配信方式としては、ブロードキャスト方式、マルチキャスト方式、Ｐ２Ｐ方式、地上波または衛星波の一部に組み込まれて配信される方式、さらに別の方式、のいずれであってもよい。
【００３０】
現時点で想定されている警報情報の一例としては、緊急地震速報、全国瞬時警報システム（いわゆる、Ｊ−ＡＬＥＲＴ（ジェイアラート））、地域災害情報（エリアメール）、早期地震検知警報システム（いわゆる、ＵｒＥＤＡＳ（ユレダス））などが挙げられる。
【００３１】
警報情報の物理的な伝搬方式についても特に限定はなく、無線方式および有線方式のいずれであってもよい。無線方式については、衛星を経由して配信される方式、公衆無線回線（例えば、ＬＴＥ（Long Term Evolution）など）により配信される方式、無線ＬＡＮ・ＷｉＭＡＸなどにより配信される方式、光信号（例えば、照明伝送）などにより配信される方式などが想定される。一方、有線方式については、ＦＴＴＨ（Fiber To The Home）などの光回線を用いる方式、ｘＤＳＬ（x Digital Subscriber Line）や有線放送などのメタル回線を用いる方式などが想定される。
【００３２】
警報情報の配信プロトコルについても特に限定はなく、任意のプロトコルを採用することができる。
【００３３】
通信モジュール１０４は、以上のような、警報情報の配信に係る物理的または論理的な規格に応じたものが採用される。
【００３４】
ＨＤＭＩコントローラ１０６およびＨＤＭＩコネクタ１１０は、所定の通信方式に従ってテレビジョン装置２００との間で、映像信号および制御信号を遣り取りするためのインターフェイスに相当する。本実施の形態においては、テレビジョン装置２００との間で、映像信号および制御信号を遣り取りするためのインターフェイスの一例として、ＨＤＭＩを例示するが、これに限らず、類似の方式、または、将来的に発展した方式を採用してもよい。
【００３５】
また、テレビジョン装置２００についても、ＨＤＭＩなどの電源復帰や入力ソースの切り替えに関するコマンドを解釈できる表示デバイスであれば、どのようなものであってもよい。例えば、入力チューナを内蔵しない、一種のディスプレイであってもよいし、ノートパソコンなどの表示部を有するコンピュータであってもよい。
【００３６】
ＨＤＭＩコントローラ１０６は、予め定められたＨＤＭＩコマンド群１０８を解釈できるように構成されており、このＨＤＭＩコマンド群から必要なコマンドを順次選択して、テレビジョン装置２００に対して制御指令を与える。このようなＨＤＭＩコマンド群は、例えば、"High-Definition Multimedia Interface Specification Version 1.4, June 5, 2009, HDMI Licensing, LLC."などに規定されている。
【００３７】
ＨＤＭＩコネクタ１１０は、テレビジョン装置２００のＨＤＭＩコネクタと電気的に接続される。ＨＤＭＩコネクタ１１０を介して、映像信号、音声信号、制御信号などがテレビジョン装置２００へ送信され、あるいは、テレビジョン装置２００から受信される。
【００３８】
記憶部１２０は、本実施の形態に従う警報報知に必要な各種データを格納する。記憶部１２０としては、ＳＳＤ（Flash Solid State Drive）などの不揮発性メモリを用いることが好ましい。典型的には、記憶部１２０は、受信された警報情報に対応する画像を生成するための画像データ群１２２と、受信された警報情報に対応する音声を生成するための音声データ群１２４とを格納する。画像データ群１２２および音声データ群１２４の利用形態については、後述する。
【００３９】
電源モジュール１３０は、制御回路１５０に対して電源を供給するための電源供給部に相当し、例えば、ＵＳＢ（Universal Serial Bus）による外部電源の供給、ＡＣ電源による外部電源の供給などを受け、所定の電圧に変換した上で、制御回路１５０に対して電力を供給する。例えば、電源モジュール１３０は、テレビジョン装置２００に実装されているＵＳＢコネクタから電源の供給を受けるようにしてもよい。このような構成を採用した場合には、ＡＣアダプタなどをさらに設ける必要がない。
【００４０】
また、オプションでバッテリ１３２を配置してもよい。外部電源の供給中にバッテリ１３２を充電するともに、外部電源の供給が停止されると、バッテリ１３２から必要な電力を制御回路１５０に供給するようにしてもよい。このような構成を採用することで、警報報知コントローラ１が警報情報を受信できない状態になる可能性を低減できる。
【００４１】
＜Ｃ．インターフェイス＞
次に、本実施の形態に従う警報報知コントローラ１によるインターフェイスの一例について説明する。警報報知コントローラ１のプロセッサ１００は、通信モジュール１０４により何らかの警報情報を受信すると、当該受信された警報情報に対応する画像を生成するとともに、ＨＤＭＩコントローラ１０６およびＨＤＭＩコネクタ１１０を介してテレビジョン装置２００へ出力する。このような一連の処理に係るインターフェイスについて説明する。
【００４２】
図４は、本実施の形態に従う警報報知コントローラ１の遣り取りの一例を説明するためのシーケンス図である。図４を参照して、警報報知コントローラ１は、警報情報の検知を責務とする何らかの監視機関から警報情報を受信し、接続されているテレビジョン装置２００に対して、受信した警報情報に対応する画像を出力するように構成されているとする。
【００４３】
監視機関からブロードキャストされる各種情報（シーケンスＳＱ２）に基づいて、警報報知コントローラ１は、必要な情報の収集などのセットアップを行なう（シーケンスＳＱ４）。なお、警報報知コントローラ１が配置される場所（ローケーション）などが既知である場合には、当該既知の情報に基づいて、予め必要なセットアップを行なうことができるため、シーケンスＳＱ２およびＳＱ４の処理を省略してもよい。また、このセットアップにおいて、必要な画像データ群１２２および音声データ群１２４を収集または合成してもよい。
【００４４】
このセットアップの処理の具体例としては、警報報知コントローラ１が受信可能な警報情報の種類に応じた画像データの収集や、当該警報情報に応じた設定情報の収集などが想定される。
【００４５】
セットアップ処理の完了後、監視機関が何らかの事象を検知し、警報情報を報知したとする（シーケンスＳＱ１０）。警報報知コントローラ１がこの警報情報を受信すると、受信された警報情報に対応する表示データ（画像）を生成する（シーケンスＳＱ１２）。そして、警報報知コントローラ１は、（テレビジョン装置２００の電源がオフの場合には）テレビジョン装置２００に対して、電源をオンさせるためのコマンド（電源オンコマンド）を送信する（シーケンスＳＱ１４）。そして、警報報知コントローラ１は、（入力ソースとして警報報知コントローラ１が接続されているポートが選択されていない場合には）テレビジョン装置２００に対して、入力ソースを変更するためのコマンド（入力ソース変更コマンド）を送信する（シーケンスＳＱ１６）。
【００４６】
最終的に、警報報知コントローラ１は、シーケンスＳＱ１２において生成した表示データをテレビジョン装置２００へ送信する（シーケンスＳＱ１８）。すると、テレビジョン装置２００では、警報報知コントローラ１からの表示データに応じた警報画面が表示される（シーケンスＳＱ２０）。併せて、警報音声２０４が出力されることもある。
【００４７】
シーケンスＳＱ１４およびＳＱ１６に示されるコマンドは、ＨＤＭＩ規格に基づいて定義されたコマンドが用いられる。
【００４８】
＜Ｄ．警報画面および警報音声の生成処理＞
次に、本実施の形態に従う警報報知コントローラ１による警報画面および警報音声の生成処理について説明する。
【００４９】
図５は、本実施の形態に従う警報報知コントローラ１による警報画面および警報音声の生成処理の一例を説明するための模式図である。例えば、警報情報が、図５に示すような構造のフレーム３００として送信されるとする。
【００５０】
フレーム３００は、一例として、種別コード３０２と、エリアコード３０４と、状態識別コード３０６と、伝文メッセージ３０８とを含む。
【００５１】
種別コード３０２は、緊急的に報知される情報がどのような事象に関連しているのかを示す識別情報であり、例えば、コードの値に応じて、「地震」、「津波」、「地滑り」、「洪水」、「武力攻撃」などのうちいずれであるかを特定することができる。
【００５２】
エリアコード３０４は、緊急的に報知される情報が関係するエリアを示す識別情報であり、そのコードの値に応じて、いずれの地域が対象であるかを特定することができる。
【００５３】
状態識別コード３０６は、例えば、実際の警報であるか、訓練のための警報であるかといった警報情報の状態を示す識別情報である。
【００５４】
伝文メッセージ３０８には、当該警報情報として報知されるべき任意のメッセージが格納される。
【００５５】
警報報知コントローラ１のプロセッサ１００は、受信した警報情報に含まれる、種別コード３０２、エリアコード３０４、状態識別コード３０６の全部または一部の値に応じて、画像データ群１２２の中から対象となる画像データを選択し、警報画面２０２を生成する。このとき、プロセッサ１００は、受信した警報情報の伝文メッセージ３０８に格納されているメッセージに対応する画像オブジェクトを、当該選択した画像データの上に重ね合わせることで、必要な情報を警報画面２０２に含ませるようにすることができる。
【００５６】
このように、プロセッサ１００は、受信された警報情報に基づいて、予め格納されている複数の画像データ（画像データ群１２２）のうち対応する画像データを選択することで、受信された警報情報に対応する画像を生成する。
【００５７】
同様に、警報報知コントローラ１のプロセッサ１００は、受信した警報情報に含まれる、種別コード３０２、エリアコード３０４、状態識別コード３０６のそれぞれの値に応じて、音声データ群１２４の中から対象となる音声データを選択し、警報音声２０４を生成する。音声データ群１２４から選択される音声データに加えて、あるいは、それに代えて、受信した警報情報の伝文メッセージ３０８に格納されているメッセージを音声合成エンジン１６０に入力することで、動的に警報音声２０４を生成するようにしてもよい。このような音声合成エンジン１６０を用いることで、各状況に応じた、より適切な音声メッセージを報知することができる。
【００５８】
そして、プロセッサ１００は、生成した警報画面２０２から映像信号を生成し、警報音声２０４から音声信号を生成し、ＨＤＭＩ規格に従って、テレビジョン装置２００へ出力する。
【００５９】
このような警報画面および警報音声の合成処理を採用することで、トラフィック量を低減するために、画像および音声の情報を含まない警報情報が採用された場合であっても、緊急を要する情報を視覚的および聴覚的に通知することができる。
【００６０】
＜Ｅ．処理手順＞
次に、本実施の形態に従う警報報知コントローラ１による警報報知に係る処理手順について説明する。
【００６１】
図６は、本実施の形態に従う警報報知コントローラ１による警報報知に係る処理手順を示すフローチャートである。図６に示す各ステップは、典型的には、プロセッサ１００が処理プログラム１０２を実行することで、実現される。また、図６に示す警報報知の処理が実行される前に、画像データ群１２２および音声データ群１２４の格納、ならびに、必要なセットアップが完了しているとする。
【００６２】
図６を参照して、警報報知コントローラ１のプロセッサ１００は、通信モジュール１０４を介して警報情報を受信したか否かを判断する（ステップＳ２）。警報情報を受信していなければ（ステップＳ２においてＮＯの場合）、ステップＳ２の処理が繰返される。
【００６３】
これに対して、警報情報を受信すれば（ステップＳ２においてＹＥＳの場合）、プロセッサ１００は、受信した警報情報の内容を解析して、受信された警報情報に対応する画像を生成する（ステップＳ４）。より具体的には、プロセッサ１００は、受信した警報情報に含まれる各種情報に基づいて、予め格納している画像データ群１２２から対応する画像データを選択し、警報画面２０２を生成するとともに、予め格納している音声データ群１２４から対応する音声データを選択し、警報音声２０４を生成する。
【００６４】
続いて、プロセッサ１００は、テレビジョン装置２００の表示が無効化されているか否かを判断する（ステップＳ６）。より具体的には、プロセッサ１００は、ＨＤＭＩコントローラ１０６およびＨＤＭＩコネクタ１１０を介して、状態取得コマンドをテレビジョン装置２００に送信するとともに、テレビジョン装置２００からの応答に基づいて、対象のテレビジョン装置２００が電源オンの状態であるか否かを判断する。
【００６５】
テレビジョン装置２００の表示が無効化されていれば（ステップＳ６においてＹＥＳの場合）、プロセッサ１００は、ＨＤＭＩコントローラ１０６およびＨＤＭＩコネクタ１１０を介して、電源をオンさせるためのコマンド（電源オンコマンド）をテレビジョン装置２００へ送信する（ステップＳ８）。より具体的には、プロセッサ１００は、ＨＤＭＩコントローラ１０６およびＨＤＭＩコネクタ１１０を介して、テレビジョン装置２００に対して、一種のＷａｋｅ−Ｕｐコマンドを送信する。そして、プロセッサ１００は、再度、状態取得コマンドをテレビジョン装置２００に送信するとともに、テレビジョン装置２００からの応答に基づいて、対象のテレビジョン装置２００が電源オンの状態であるか否かを判断する。電源オンの状態に移行していなければ、電源をオンさせるためのコマンド（電源オンコマンド）を再送してもよい。
【００６６】
すなわち、プロセッサ１００は、テレビジョン装置２００の表示が無効化されている場合に、ＨＤＭＩコントローラ１０６およびＨＤＭＩコネクタ１１０（インターフェイス）を介してテレビジョン装置２００へ制御信号を与えることで、テレビジョン装置２００の表示を有効化する機能を有している。
【００６７】
一方、テレビジョン装置２００の表示が無効化されていなければ（ステップＳ６においてＮＯの場合）、ステップＳ８の処理はスキップされる。
【００６８】
続いて、プロセッサ１００は、テレビジョン装置２００の入力ソースとして警報報知コントローラ１が接続されているポートが選択されているか否かを判断する（ステップＳ１０）。より具体的には、プロセッサ１００は、ＨＤＭＩコントローラ１０６およびＨＤＭＩコネクタ１１０を介して、入力ソースの現在値の取得コマンドをテレビジョン装置２００に送信するとともに、テレビジョン装置２００からの応答に基づいて、対象のテレビジョン装置２００における入力ソースの選択状態を判断する。
【００６９】
テレビジョン装置２００の入力ソースとして警報報知コントローラ１が接続されているポートが選択されていなければ（ステップＳ１０においてＮＯの場合）、プロセッサ１００は、入力ソースを変更するためのコマンド（入力ソース変更コマンド）をテレビジョン装置２００へ送信する（ステップＳ１２）。より具体的には、プロセッサ１００は、ＨＤＭＩコントローラ１０６およびＨＤＭＩコネクタ１１０を介して、テレビジョン装置２００に対して、一種のチャンネル選択コマンドを送信する。そして、プロセッサ１００は、再度、入力ソースの現在値の取得コマンドをテレビジョン装置２００に送信するとともに、テレビジョン装置２００からの応答に基づいて、対象のテレビジョン装置２００の入力ソースとして警報報知コントローラ１が接続されているポートが選択されている状態であるか否かを判断する。入力ソースが変更されていなければ、入力ソースを変更するためのコマンド（電源オンコマンド）を再送してもよい。
【００７０】
すなわち、プロセッサ１００は、テレビジョン装置２００に表示される入力ソースとして警報報知コントローラ１から出力される映像信号が選択されていない場合に、ＨＤＭＩコントローラ１０６およびＨＤＭＩコネクタ１１０（インターフェイス）を介してテレビジョン装置２００へ制御信号を与えることで、テレビジョン装置２００に表示される入力ソースを切り替える機能を有している。
【００７１】
一方、テレビジョン装置２００の入力ソースとして警報報知コントローラ１が接続されているポートが選択されていなければ（ステップＳ１０においてＮＯの場合）、ステップＳ１２の処理はスキップされる。
【００７２】
最終的に、プロセッサ１００は、ステップＳ４において生成した画像（警報画面２０２）を、ＨＤＭＩコントローラ１０６およびＨＤＭＩコネクタ１１０（インターフェイス）を介してテレビジョン装置２００へ出力する（ステップＳ１４）。これによって、テレビジョン装置２００では、受信した警報情報に応じた警報画面２０２が表示される。
【００７３】
なお、プロセッサ１００は、上述したような処理によって音声データについても生成している場合には、当該音声データについてもテレビジョン装置２００へ出力する。すなわち、プロセッサ１００は、受信された警報情報に基づいて、当該受信された警報情報に対応する音声を生成し、テレビジョン装置２００から当該生成された音声が出力されるように、ＨＤＭＩコントローラ１０６およびＨＤＭＩコネクタ１１０（インターフェイス）を介してテレビジョン装置２００へ出力する。
【００７４】
以上のような処理手順によって、警報報知に係る処理は完了する。そして、先に受信した警報情報についての処理が完了すると、次の警報情報の受信待ちとなる。
【００７５】
＜Ｆ．利点＞
本技術の形態によれば、警報情報を受信した場合に、電源オフ状態などで、接続先のテレビジョン装置の表示が無効化されていても、テレビジョン装置の表示を有効化した上で、当該受信した警報情報に応じた警報画面および警報音声を報知する。そのため、緊急を要する警報情報をより確実に報知することができる。また、家庭に普及している一般的なテレビジョン装置を、警報情報を報知するデバイスとして用いることができるので、緊急を要する警報情報を報知する体制をより低いコストで実現できる。
【００７６】
また、本実施の形態によれば、予め格納している画像データ群および音声データ群を選択的に利用することで、受信した警報情報に応じた警報画面および警報音声を出力できるので、警報情報の報知を視覚的および聴覚的による多様化をより容易に実現できるとともに、警報情報の報知に係るトラフィックを低減できる。
【００７７】
今回開示された実施の形態はすべての点で例示であって制限的なものでないと考えられるべきである。本発明の範囲は上記した説明ではなくて特許請求の範囲によって示され、特許請求の範囲と均等の意味および範囲内でのすべての変更が含まれることが意図される。
【符号の説明】
【００７８】
１  警報報知コントローラ、１００  プロセッサ、１０２  処理プログラム、１０４  通信モジュール、１０６  ＨＤＭＩコントローラ、１０８  ＨＤＭＩコマンド群、１１０  ＨＤＭＩコネクタ、１２０  記憶部、１２２  画像データ群、１２４  音声データ群、１３０  電源モジュール、１３２  バッテリ、１５０  制御回路、１６０  音声合成エンジン、２００  テレビジョン装置、２０２  警報画面、２０４  警報音声、３００  フレーム、３０２  種別コード、３０４  エリアコード、３０６  状態識別コード、３０８  伝文メッセージ、ＳＹＳ  警報報知システム。
【図１】
2018022314.tif 000003
【図２】
2018022314.tif 000004
【図３】
2018022314.tif 000005
【図４】
2018022314.tif 000006
【図５】
2018022314.tif 000007
【図６】
2018022314.tif 000008